【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  プラテンと略平行に配置されたキャリッジ軸と、このキャリッジ軸に摺動自在に設けられたキャリッジと、このキャリッジに載置された記録ヘッドとを備え、この記録ヘッドにより当該記録ヘッドとプラテンとの間に搬送されたシートに画像を記録する記録装置において、
前記キャリッジ軸の両端を、前記プラテンに対し、近接又は離間する方向に駆動することにより、当該キャリッジ軸と前記プラテンとの平行度を調整する平行度調整手段を有することを特徴とする記録装置。
【請求項２】  プラテンと略平行に配置されたキャリッジ軸と、このキャリッジ軸に摺動自在に設けられたキャリッジと、このキャリッジに載置された記録ヘッドとを備え、この記録ヘッドにより当該記録ヘッドとプラテンとの間に搬送されたシートに画像を記録する記録装置において、
前記キャリッジ軸に偏心軸を設け、この偏心軸を回転させることにより、前記記録ヘッドと前記プラテンとの間のプラテンギャップを調整するプラテンギャップ調整手段と、
前記キャリッジ軸の両端を、前記プラテンに対し、近接又は離間する方向に駆動することにより、当該キャリッジ軸と前記プラテンとの平行度を調整する平行度調整手段と
を備えることを特徴とする記録装置。
【請求項３】  前記平行度調整手段は、前記キャリッジ軸と前記プラテンとの平行度と、前記キャリッジ軸と前記プラテンとの間の距離とを調整することを特徴とする請求項１又は２に記載の記録装置。
【請求項４】  前記平行度調整手段は、
前記キャリッジ軸にカム部材を設け、このカム部材に偏心カムを当接させ、この偏心カムを平行度調整用モータで回転させることにより、前記キャリッジ軸を移動する構成を備えることを特徴とする請求項１乃至３のいずれかに記載の記録装置。
【請求項５】  プラテンと略平行に配置されたキャリッジ軸と、このキャリッジ軸に摺動自在に設けられたキャリッジと、このキャリッジに載置された記録ヘッドとを備え、この記録ヘッドにより当該記録ヘッドとプラテンとの間に搬送されたシートに画像を記録する記録装置の制御方法において、
前記記録装置は、前記キャリッジ軸の両端を、前記プラテンに対し、近接又は離間する方向に駆動可能する平行度調整手段を備え、
前記プラテンの桁方向の複数カ所において、前記記録ヘッドと前記プラテンとの距離を測定し、この測定値から、前記キャリッジ軸の前記プラテンに対する傾き量を検出し、検出した傾き量に基づいて前記平行度調整手段を駆動することにより、前記キャリッジガイド軸を前記プラテンと平行に調整することを特徴とする記録装置の制御方法。
【請求項６】  プラテンと略平行に配置されたキャリッジ軸と、このキャリッジ軸に摺動自在に設けられたキャリッジと、このキャリッジに載置された記録ヘッドとを備え、この記録ヘッドにより当該記録ヘッドとプラテンとの間に搬送されたシートに画像を記録する記録装置の制御方法において、
前記記録装置は、前記キャリッジ軸の両端を、前記プラテンに対し、近接又は離間する方向に駆動可能する平行度調整手段を備え、
前記プラテンの桁方向の複数カ所において、前記記録ヘッドと前記プラテンとの距離を測定し、この測定値に基づいて前記平行度調整手段を駆動することにより、前記キャリッジガイド軸を前記プラテンと平行に調整すると共に、前記記録ヘッドと前記プラテンとの間の距離を予め定めた距離に調整することを特徴とする記録装置の制御方法。
【手続補正２】
【補正対象書類名】明細書
【補正対象項目名】００１０
【補正方法】変更
【補正の内容】
【００１０】
【課題を解決するための手段】
上述課題を解決するため、請求項１に記載の発明は、プラテンと略平行に配置されたキャリッジ軸と、このキャリッジ軸に摺動自在に設けられたキャリッジと、このキャリッジに載置された記録ヘッドとを備え、この記録ヘッドにより当該記録ヘッドとプラテンとの間に搬送されたシートに画像を記録する記録装置において、前記キャリッジ軸の両端を、前記プラテンに対し、近接又は離間する方向に駆動することにより、当該キャリッジ軸と前記プラテンとの平行度を調整する平行度調整手段を有することを特徴とする。
【手続補正３】
【補正対象書類名】明細書
【補正対象項目名】００１１
【補正方法】変更
【補正の内容】
【００１１】
また、請求項２に記載の発明は、プラテンと略平行に配置されたキャリッジ軸と、このキャリッジ軸に摺動自在に設けられたキャリッジと、このキャリッジに載置された記録ヘッドとを備え、この記録ヘッドにより当該記録ヘッドとプラテンとの間に搬送されたシートに画像を記録する記録装置において、前記キャリッジ軸に偏心軸を設け、この偏心軸を回転させることにより、前記記録ヘッドと前記プラテンとの間のプラテンギャップを調整するプラテンギャップ調整手段と、前記キャリッジ軸の両端を、前記プラテンに対し、近接又は離間する方向に駆動することにより、当該キャリッジ軸と前記プラテンとの平行度を調整する平行度調整手段とを備えることを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、請求項３に記載の発明は、請求項１又は２に記載の構成において、前記平行度調整手段は、前記キャリッジ軸と前記プラテンとの平行度と、前記キャリッジ軸と前記プラテンとの間の距離とを調整することを特徴とする。
【手続補正６】
【補正対象書類名】明細書
【補正対象項目名】００１４
【補正方法】変更
【補正の内容】
【００１４】
また、請求項４に記載の発明は、請求項１乃至３のいずれかに記載の構成において、前記平行度調整手段は、前記キャリッジ軸にカム部材を設け、このカム部材に偏心カムを当接させ、この偏心カムを平行度調整用モータで回転させることにより、前記キャリッジ軸を移動する構成を備えることを特徴とする。
【手続補正７】
【補正対象書類名】明細書
【補正対象項目名】００１５
【補正方法】変更
【補正の内容】
【００１５】
また、請求項５に記載の発明は、プラテンと略平行に配置されたキャリッジ軸と、このキャリッジ軸に摺動自在に設けられたキャリッジと、このキャリッジに載置された記録ヘッドとを備え、この記録ヘッドにより当該記録ヘッドとプラテンとの間に搬送されたシートに画像を記録する記録装置の制御方法において、前記記録装置は、前記キャリッジ軸の両端を、前記プラテンに対し、近接又は離間する方向に駆動可能する平行度調整手段を備え、前記プラテンの桁方向の複数カ所において、前記記録ヘッドと前記プラテンとの距離を測定し、この測定値から、前記キャリッジ軸の前記プラテンに対する傾き量を検出し、検出した傾き量に基づいて前記平行度調整手段を駆動することにより、前記キャリッジガ
イド軸を前期プラテンと平行に調整することを特徴とする。
【手続補正８】
【補正対象書類名】明細書
【補正対象項目名】００１６
【補正方法】変更
【補正の内容】
【００１６】
また、請求項６に記載の発明は、プラテンと略平行に配置されたキャリッジ軸と、このキャリッジ軸に摺動自在に設けられたキャリッジと、このキャリッジに載置された記録ヘッドとを備え、この記録ヘッドにより当該記録ヘッドとプラテンとの間に搬送されたシートに画像を記録する記録装置の制御方法において、前記記録装置は、前記キャリッジ軸の両端を、前記プラテンに対し、近接又は離間する方向に駆動可能する平行度調整手段を備え、前記プラテンの桁方向の複数カ所において、前記記録ヘッドと前記プラテンとの距離を測定し、この測定値に基づいて前記平行度調整手段を駆動することにより、前記キャリッジガイド軸を前記プラテンと平行に調整すると共に、前記記録ヘッドと前記プラテンとの間の距離を予め定めた距離に調整することを特徴とする。